(57)【要約】      （修正有）【課題】手提げ機能を備えると共に、瓶状物（被包装物）の首部を支持する手段を備える包装箱を提供する。【解決手段】１枚の段ボール紙の展開板から形成され、箱本体部と、箱本体部の前後面部及び左右側面部を上方へ延設して三角屋根状に形成した箱上方体部３を備え、箱上方体部が、前面上方部３１、内方折り込みとする左右側面上方部３３ｂ、及び前方へ折返す後面上方部３２で形成し、後面上方部の折返し状態における適宜位置に把手孔３８を設けると共に、把手孔下方の後面上方部の下方箇所に連結孔３６を設け、連結孔と対応する前面上方部に差込舌片３５を設け、連結孔３６に差込舌片３５を挿着して前後面上方部を連結、前面上方部の上部の切り倒しで形成し、先端縁３４１を後面上方部に設けた引掛け孔３９に係止する瓶抑え部３４を設けてなる。【選択図】図３
0003216300.tif 000002
【実用新案登録請求の範囲】
【請求項１】
1枚の段ボール紙の展開板から形成される包装箱であって、底面部を形成する底面フラップを下辺に備えた前後面部及び左右側面部で形成した箱本体部と、前記前後面部及び左右側面部を上方へ延設して三角屋根状に形成した箱上方体部とを備え、前記箱上方体部が、前面上方部、前後中間を三角形の内方折り込みとする左右上方側面部、及び前記の折り込まれた左右上方側面部の頂部位置で前方へ折返す後面上方部で形成し、前記の後面上方部の前方へ折返し状態における適宜位置に把手孔を設けると共に、把手孔下方の後面上方部の下方箇所に連結孔を設け、前面上方部における前記連結孔と対応する位置に差込舌片を設け、連結孔に差込舌片を挿着して前後面上方部を連結すると共に、前面上方部の上部の切り倒しで形成し、先端縁を後面上方部に設けた引掛け孔に係止する瓶抑え板部を設けてなることを特徴とする包装箱。
【請求項２】
瓶抑え部を、箱内部への切り倒し位置と係止位置の間において、前後中間が下方で折返しとなるＶ状に形成すると共に、折返しで前後間隔が縮められる挟圧縁を設けてなる請求項１記載の包装箱。
【請求項３】
請求項１又は２記載の包装箱に、下面部と縦面部と上面部で構成して三角状に折曲すると共に、上面部に瓶収納孔を設けてなる台座体を内置してなる包装箱。
【請求項４】
上面部を縦面部と反対縁で下方に折り返す二重構造として、上面部の上部に積層状態で位置する下方面にも瓶収納孔を設けてなる請求項３記載の包装箱。
【考案の詳細な説明】
【技術分野】
【０００１】
本考案は、瓶形状の被包装物を収納すると共に手提げ機能を備える包装箱に関するものである。
【背景技術】
【０００２】
瓶形状の被包装物（瓶状物）は、包装状態（箱収納状態）において安定性を確保する手段として、瓶状物の首部を支持する手段を包装箱に具備することが知られている。例えば特許文献１には、包装箱の側面板部に箱内方に折り込む舌片を設け、包装箱内方に折り込まれた舌片を収納した瓶状物の首部側方に位置させる包装箱が開示されている。また特許文献２には、上面フラップに瓶状物の首部を挿通する透孔を形成し、瓶状物を包装箱に収納した後に前記上面フラップを箱上部開口個所から押し込み、透孔に瓶状物の首部を挿通する構成が開示されている。
【０００３】
また手提げ機能を備えている包装箱は、特許文献３に示すように対向する一対の上面フラップの上方部分を持ち手部に形成すると共に当該持ち手部に把手孔を形成し、包装箱上面を閉塞すると共に持ち手部を折曲起立し、他方の対向上面フラップで、前記の起立状態が維持される構成としている。更に特許文献３には、箱側面を構成する側面板部のうち一対の対向側面板部（前後面部）を上方に延長して持ち手部に形成すると共に、当該前面部持ち手部に上方折返しの把手孔と後面部持ち手部に下方折返し（係止舌片）の把手孔を形成し、左右側面部は瓶状物の外周面に対応した保持孔を設けてなり、瓶状物の包装紙に際して、左右側面部を内方に折り込んで保持孔に瓶状物外周を嵌合し、前後面部の上部を重ね合わせて持ち手を形成すると共に、係止舌片を把手孔へ通し前面部の係止孔に挿通係止する構成が開示されている。
【先行技術文献】
【特許文献】
【０００４】
【特許文献１】実公平３−３３６１６号公報
【特許文献２】特開２００２−３２１７２８号公報
【特許文献３】特開平９−２０２３７５号公報
【特許文献４】登録実用新案３０５８１５４号公報
【考案の概要】
【考案が解決しようとする課題】
【０００５】
瓶状物の包装箱において、収納時の安定性確保のために、瓶状物の首部を支持する手段が知られているが、手提げ機能を備えていない。また手提げ機能を備えている包装箱においては、瓶状物の首部を支持する手段を備えていない。そこで本考案は、手提げ機能を備えると共に、瓶状物の首部を支持する手段を備える新規な包装箱を提案したものである。
【課題を解決するための手段】
【０００６】
本考案の請求項１記載に係る包装箱は、１枚の段ボール紙の展開板から形成される包装箱であって、底面部を形成する底面フラップを下辺に備えた前後面部及び左右側面部で形成した箱本体部と、前記前後面部及び左右側面部を上方へ延設して三角屋根状に形成した箱上方体部とを備え、前記箱上方体部が、前面上方部、前後中間を三角形の内方折り込みとする左右側面上方部、及び前記の折り込まれた左右側面上方部の頂部位置で前方へ折返す後面上方部で形成し、前記の後面上方部の前方へ折返し状態における適宜位置に把手孔を設けると共に、把手孔下方の後面上方部の下方箇所に連結孔を設け、前面上方部における前記連結孔と対応する位置に差込舌片を設け、連結孔に差込舌片を挿着して前後面上方部を連結すると共に、前面上方部の上部の切り倒しで形成し、先端縁を後面上方部に設けた引掛け孔に係止する瓶抑え板部を設けてなることを特徴とするものである。
【０００７】
而して前記包装箱は、底面フラップを組み合わせて箱本体部を組み立てた後、この箱本体部に被包装物（瓶状物）を収納し、左右側面上方部の前後中間を三角形として内方へ折り込み、瓶抑え部の先端縁を後面上方部の引掛け孔に差込係止し、同時に後面上方部を側面上方部の頂部位置で前方へ折返する。前方に折り返した後面上方部の連結孔に前面上方部の差込舌片を装着して前面上方部と後面上方部を連結して瓶状物を収納した包装箱が組み立てられることになり、折り返された後面上方部の前後面に形成された把手孔を使用することで、把手孔上方部分が持ち手となり手提げ携帯を可能としたものである。特に収納された瓶状物の首部に瓶抑え部が当接して携帯時における瓶状物の動揺を抑える。
【０００８】
また本考案の請求項２記載に係る包装箱は、特に上記の瓶抑え部を、箱内部への切り倒し位置と係止位置の間において、前後中間が下方で折返しとなるＶ状に形成すると共に、折返しで前後間隔が縮められる挟圧縁を設けてなるもので、三角屋根状の箱上方体部を形成する際に、収納された瓶状物の首部に対して、瓶抑え部のＶ状の角度が徐々に小さくなり対向する挟圧縁が接近して近接すると同時に瓶状物の首部を下方へ抑え込むことになり、収納物（瓶状物）の動揺の抑え込みがより確実になされる。
【０００９】
また本考案の請求項２，３に記載されている包装箱は、上記包装箱に別体（別の段ボール紙）で形成した台座体を組み込んでなるもので、台座体は、下面部と縦面部と上面部で構成して三角状に折曲すると共に、上面部に瓶嵌合孔を設けてなるものであり、更に前記上面部を縦面部と反対縁で下方に折り返す二重構造として、上面部の上部に積層状態で位置する下方面にも瓶収納孔を設けてなるものである。
【００１０】
上記台座体は、箱本体部が形成された後に箱本体部の底方に設置され、非包装物（瓶状物）を箱状本体に収納する際に、瓶状物の底部を瓶収納孔に嵌合して瓶の動揺を抑止するものである。
【考案の効果】
【００１１】
本考案の構成は上記のとおり瓶状物の包装箱であって、手提げ機能を備えると共に、瓶状物の首部を支持する手段を備えてなり、手持ち携帯における収納物である瓶状物の動揺を抑えて携帯機能を高めたものである。
【図面の簡単な説明】
【００１２】
【図１】本考案の実施形態（２本入れ）の包装箱本体の展開図。
【図２】同台座体の展開図。
【図３】同組立経過の説明図（非包装物収納前）。
【図４】同図（非包装物収納直後）。
【図５】同図（包装終了直前）。
【図６】同図（包装終了時）。
【図７】本考案の別例の実施形態（３本入れ）の包装箱本体の展開図。
【図８】同台座体の展開図。
【考案を実施するための形態】
【００１３】
次に本考案の実施形態について説明する。図１乃至６に示した実施形態は、２本入りの包装箱の例を示したもので、それぞれ１枚の段ボール紙から形成される包装箱本体Ａと台座体Ｂからなり、包装箱本体Ａは、箱本体部１と底面部２と箱上方体部３で構成される。
【００１４】
包装箱本体Ａの展開板Ａ０は図１に示したとおりで、箱本体部１を形成する前面部１１と後面部１２と前面部１１と後面部１２の間に配置される側面部１３ａ，１３ｂを並列して折れ線アで連設し、側縁に糊代部１４を設けている。
【００１５】
前記箱本体部１を構成する前面部１１、後面部１２、側面部１３ａ，１３ｂの各底辺には折れ線イを介して底面部２を形成する底面フラップ２１，２２，２３ａ，２３ｂが連設されており、底面フラップ２１，２２，２３ａ，２３ｂは適宜組み合わせることで包装箱本体Ａの底面部２を形成する公知の形状に形成してなる。
【００１６】
箱上方体部３を形成する前面上方部３１と、後面上方部３２と側面上方部３３ａ，３３ｂは、それぞれ折れ線アの延長及び折れ線ウを介して前面部１１、後面部１２、側面部１３ａ，１３ｂの上辺に、箱上方体部３の形成高さを基準（基準高さ）として所定の長さ延設したものである。
【００１７】
前記の前面上方部３１は、前記基準高さに設けると共に、上縁中央を適宜幅で切断線ａを設け、当該切断線ａの上方延長部分が基準高さ以上に突出する範囲で瓶抑え部３４とし、前記瓶抑え部３４は、上縁に適宜幅の先端縁３４１を突出させ、中間部分に折れ線エを設けておく。更に瓶抑え部３４の両側縁箇所を抉り、抉り箇所の上下に挟圧縁３４２を設ける。この瓶抑え部３４は、後述する非包装物たる瓶状物Ｃの収納包装に際して瓶状物Ｃの首部と当接する位置及び形状に形成したものである。
【００１８】
また瓶抑え部３４の底辺となる位置に折れ線オを設けると共に、前記折れ線オの上下に渡る偏平逆Ｕ状の切断線ｂを設けて、上方部が蟻形状となる差込舌片３５を形成する。
【００１９】
前記の後面上方部３２は、基準高さ位置において前面側に折り返す折れ線カを介して差込舌片３５の高さ位置（折れ線オの位置）と対応する長さ上方に突出した折返し面部３２ａと、折れ線キを介して適宜長の折返し舌片３２ｂを備え、折れ線キの位置に連結孔３６を切り抜き、且つ前記連結孔３６の下方への切断線ｃで連結孔３６に突出する抑え舌片３７を設けてなる。
【００２０】
更に折れ線カを挟んで、後面上方部３２及び折返し面部３２ａの対象位置に、それぞれ把手孔３８を形成する切断線ｄを設ける。また後面上方部３２には、把手孔３８の形成位置の下方に、引掛け孔３９を刳り貫き形成する。
【００２１】
側面上方部３３ａ，３３ｂは、折れ線ウを底辺とした三角形が形成される折れ線クを設けておくもので、上縁は基準高さ（折れ線カの高さ）から中間が低くなるように形成したものであり、糊代部１４の延長上に糊代部３３ｃを設けてなる。
【００２２】
台座体Ｂは、縦面部４を中心に上面部５と下面部６を二重に折返して重ね合わせて形成されるもので、その展開板Ｂ０は図２に示す通り、適宜幅（組立後の高さ）の縦面部４の左右に背面切込みｅを設けると共に、中央に係止孔４１を刳り貫き形成し、上面部５と下面部６は、中間に背面切込みｅに平行な折返し用の背面切込みｆ，ｇを設けると共に、各々端縁に係止孔４１と対応する嵌合突縁５１，６１を形成し、更に上面部５には、二列４個の瓶収納孔５２を刳り貫き形成したものである。
【００２３】
而して前記の展開板Ａ０，Ｂ０を適宜折曲して包装箱を組み上げるもので、最初に糊代部１４，３３ｃを側面部１３ｂ及び側面上方部３３ｂに接着剤で接着して箱本体部１及び箱上方体部３を各筒状に形成する。次に底面フラップ２１，２２，２３ａ，２３ｂは適宜組み合わせることで包装箱本体Ａの底面部２を形成する。
【００２４】
次に台座体Ｂを組み立てるもので、上面部５及び下面部６を背面切込みｆ，ｇでそれぞれ折返し、更に縦面部４の両側の背面切込みｅで折り曲げて上下面部５，６を対面させて側面三角形状とする。特に前記の上下面部５，６の対面に際しては嵌合突縁５１，６１を係止孔４１に嵌め込み全体の一体化を図る。
【００２５】
組み立てた台座体Ｂは、組立途中の包装箱本体Ａ内の内底面に配置する（図３）。そして被包装物（瓶状物）Ｃを２本包装箱本体Ａの上方開口個所から差し入れ、瓶抑え部３４を箱内方に折り曲げて、２本の瓶状物Ｃの間に位置させると共に、先端縁３４１を引掛け孔３９に差し入れる。
【００２６】
前記状態で側面上方部３３ａ，３３ｂを、前面上方部３１及び後面上方部３２を閉じるように中間部分（側面形状）が三角形となるように箱内方に折り込む。左右側面上方部３３ａ，３３ｂを内方に折り込むと、瓶抑え部３４がＶ状に折り曲げられ、前後の挟圧縁３４２が接近し、瓶状物Ｃの首部を下方へ抑え込む。
【００２７】
更に後面上方部３２を箱内方に折り込まれた側面上方部３３ａ，３３ｂの頂部位置で前方へ折返し、前方に折り返した折返し面部３２ａの下方に位置することなった折返し舌片３２ｂを箱内方に折り曲げる。このとき前面上方部３１に設けた差込舌片３５は箱外方へ突き出しておき、折返し舌片３２ｂを箱内方に折り曲げた状態で蟻形状の差込舌片３５を連結孔３６に挿着する。
【００２８】
更に切断線ｄで囲繞された箇所を押し込み、把手孔３８を形成すると、被包装物（瓶状物）Ｃを収納した状態で、携帯可能となるものである。
【００２９】
また本考案は上記した２本包装に限定されるものではなく、横列３本包装や、前後２列の４本包装も可能であり、単に包装箱本体の大きさ及び台座体の大きさを変更すると共に、特に瓶抑え部を所定の形状に形成すれば良いものである。
【００３０】
例えば横列３本の展開板Ａ１，Ｂ１を示すと図７，８のとおりで、前後面部１１０，１２０、底面フラップ２１０，２２０、前面上方部３１０、後面上方部３２０、折返し面部３２０ａ、折返し舌片３２０ｂを所定（３本対応）の幅に形成し、特に瓶抑え部３４０において、２本用包装箱と同様に側縁に挟圧縁３４２を備えるように抉り形状とし、中間に挟圧縁３４２と同様に機能する挟圧孔３４５を形成することで３本収納の包装箱を実現できる。勿論台座体Ｂにおいても、縦面部４ａ，上面部５ａ，下面部６ａを幅広に形成し、瓶収納孔５２を３個形成することで対応できるものである。
【符号の説明】
【００３１】
Ａ      包装箱本体
Ｂ      台座体
Ａ０，Ｂ０    展開板
Ｃ      被包装物（瓶状物）
１      箱本体部
１１    前面部
１２    後面部
１３ａ，１３ｂ    側面部
１４    糊代部
２      底面部
２１，２２，２３ａ，２３ｂ    底面フラップ
３      箱上方体部
３１    前面上方部
３２    後面上方部
３２ａ    折返し面部
３２ｂ    折返し舌片
３３ａ，３３ｂ    側面上方部
３３ｃ    糊代部
３４    瓶抑え部
３４１    先端縁
３４２    挟圧縁
３５    差込舌片
３６    連結孔
３７    抑え舌片
３８    把手孔
３９    引掛け孔
４      縦面部
４１    係止孔
５      上面部
５１    嵌合突縁
５２    瓶収納孔
６      下面部
６１    嵌合突縁
ア，イ，ウ，エ，オ，カ，キ，ク    折れ線
ａ，ｂ，ｃ，ｄ    切断線
ｅ，ｆ，ｇ    背面切込み
【図１】
0003216300.tif 000003
【図２】
0003216300.tif 000004
【図３】
0003216300.tif 000005
【図４】
0003216300.tif 000006
【図５】
0003216300.tif 000007
【図６】
0003216300.tif 000008
【図７】
0003216300.tif 000009
【図８】
0003216300.tif 000010